(57)【要約】【課題】シンプル、且つ占有スペースをとらないコンパクトな構造でありながら、ミラー部材上の光像や可動部品の投影像を種々変化させて、視認される像数を増やしたり、実際の厚みよりも深い奥行きある錯覚をもたらすなどの演出効果を高めることができる電飾装飾体を提供する。【解決手段】ＬＥＤ３１を搭載したプリント基板３０と、反射面４１を有すると共にＬＥＤからの発光を前方に透過させる透光部４２を有したミラー部材４０と、ミラー部材の前方に離間配置されＬＥＤからの発光の一部を反射面に投影させるハーフミラー５０と、駆動機構６０と、を備え、ミラー部材は、ハーフミラーに対して可動な状態で駆動機構により支持されており、ＬＥＤからの発光時に、駆動機構によってミラー部材を動作させることにより、ミラー部材の反射面に複数個投影されたＬＥＤの光像が動いて視認されるように構成した。【選択図】図３
2011110372.tif 000002
【特許請求の範囲】
【請求項１】
ＬＥＤを搭載したプリント基板と、該プリント基板の前方に配置されて前面に反射面を有すると共に前記ＬＥＤからの発光を前方に透過させる透光部を有したミラー部材と、該ミラー部材の前方に離間配置され前記ＬＥＤからの発光の一部を前記反射面に投影させるハーフミラーと、駆動機構と、を備え、
前記ミラー部材は、前記ハーフミラーに対して可動な状態で前記駆動機構により支持されており、
前記ＬＥＤからの発光時に、前記駆動機構によって前記ミラー部材を動作させることにより、前記ミラー部材の反射面に複数個投影されたＬＥＤの光像が動いて視認されるように構成したことを特徴とする電飾装飾体。
【請求項２】
前記ミラー部材は前記プリント基板に固定されており、該ミラー部材と該プリント基板は一体的に動作することを特徴とする請求項１に記載の電飾装飾体。
【請求項３】
前記駆動機構は、モータと、該モータにより軸心を中心として回転駆動され先端部に偏心突起を有した棒状の作動部材と、軸心を中心としない揺動回転ができるように支持され且つ前記偏心突起を後端開口内に嵌合させることにより前記作動部材の回転時に揺動回転し、且つ前記ミラー部材に係止された回転軸部材と、を備えていることを特徴とする請求項１、又は２に記載の電飾装飾体。
【請求項４】
ＬＥＤを搭載したプリント基板と、該プリント基板の前方に配置されて前面に反射面を有すると共に前記ＬＥＤからの発光を前方に透過させる透光部を有したミラー部材と、該ミラー部材の後方に配置されたギヤ機構と、前記ミラー部材の前方に離間配置され前記ＬＥＤからの発光の一部を前記反射面に投影させるハーフミラーと、駆動機構と、を備え、前記透光部は、前記ミラー部材の反射面から突出する透光部本体と、該透光部本体の後面から突出した軸部と、を備え、該軸部を前記ミラー部材により回転自在に軸支されており、前記ギヤ機構は、前記透光部の軸部に固定されたギヤ部材から構成されており、前記ＬＥＤからの発光時に、前記駆動機構によって前記ギヤ機構を動作させて前記透光部を回転させることにより、前記ミラー部材の反射面に複数個投影された透光部の光像が動いて視認されるように構成したことを特徴とする電飾装飾体。
【請求項５】
前記ギヤ機構は、複数の前記透光部に夫々設けられた前記ギヤ部材から構成されており、前記駆動機構が少なくとも一つの前記ギヤ部材を駆動することにより他のギヤ部材が連動して回転するように構成されていることを特徴とする請求項４に記載の電飾装飾体。
【請求項６】
前記ミラー部材の反射面を非平坦面としたことを特徴とする請求項４又は５に記載の電飾装飾体。
【請求項７】
請求項１乃至６の何れか一項に記載の電飾装飾体と、遊技盤と、を備えたことを特徴とする遊技盤ユニット。
【請求項８】
請求項７に記載の遊技盤ユニットを備えたことを特徴とするパチンコ遊技機。
【発明の詳細な説明】
【技術分野】
【０００１】
本発明はシンプル、且つ占有スペースをとらないコンパクトな構造でありながら、ミラーに投影される光源の光像、役物の像を種々変化、動作させて演出効果を高めることができる電飾装飾体、遊技盤ユニット、及び遊技機に関するものである。
【背景技術】
【０００２】
パチンコ遊技機においては、遊技盤の盤面に入賞口、風車、図柄表示装置、電飾装置等の各種盤面部品を設けて遊技内容の多様性を図っている。そして、遊技盤に設けられた始動入賞口に遊技球が入賞すると、遊技盤中の図柄表示装置に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために様々な表示演出が行われる。
例えば、遊技の進行中における入賞、その他の遊技状態の変化を視覚的に表現、報知したり、遊技進行上での電飾効果を図る等の目的から、遊技盤、可動盤面部品、その他任意の部位にＬＥＤランプやフィラメント式ランプ等の発光装置を配置している（特許文献１、２）。
しかし、例えば役物上に固定配置されたＬＥＤランプを用いた演出としては、せいぜいＬＥＤランプを発光、消灯させるタイミングを種々変化させたり、光量、発光色を変化させる程度であり、多様性ある演出は困難であった。
特許文献３には、反射板に対向してハーフミラーを配置し、光源からの光像に変化をもたらすようにした電飾装置が開示されている。しかし、反射板とハーフミラーによる単純なトリックに過ぎず、これらの特性を十分に活用し切れておらず、光像の変化の程度が低く、演出性に乏しいという欠点を有している。
【先行技術文献】
【特許文献】
【０００３】
【特許文献１】特開２００９−０００３０３公報
【特許文献２】特開２００９−０６６２２１公報
【特許文献３】特開２００３−７９８６４公報
【発明の概要】
【発明が解決しようとする課題】
【０００４】
本発明は上記に鑑みてなされたものであり、従来、反射板に対向してハーフミラーを配置し、光源からの光像に変化をもたらすようにした電飾装置が知られているが、光像の変化の程度が低く、演出性に乏しいという欠点を有している。
本発明は上記に鑑みてなされたものであり、シンプル、且つ占有スペースをとらないコンパクトな構造でありながら、ハーフミラーと反射板と、これらに投影される光像や可動部品の投影像を有効に活用して、光像や可動部品の投影像を種々変化させて、視認される像数を増やしたり、実際の厚みよりも深い奥行きある錯覚をもたらすなどの演出効果を高めることができる電飾装飾体、遊技盤ユニット、及び遊技機に関するものである。
【課題を解決するための手段】
【０００５】
上記目的を達成するため、請求項１の発明に係る電飾装飾体は、ＬＥＤを搭載したプリント基板と、該プリント基板の前方に配置されて前面に反射面を有すると共に前記ＬＥＤからの発光を前方に透過させる透光部を有したミラー部材と、該ミラー部材の前方に離間配置され前記ＬＥＤからの発光の一部を前記反射面に投影させるハーフミラーと、駆動機構と、を備え、前記ミラー部材は、前記ハーフミラーに対して可動な状態で前記駆動機構により支持されており、前記ＬＥＤからの発光時に、前記駆動機構によって前記ミラー部材を動作させることにより、前記ミラー部材の反射面に複数個投影されたＬＥＤの光像が動いて視認されるように構成したことを特徴とする。
ＬＥＤから出射された光をミラー部材に設けた透光部を介して前方へ出射した時に、前方に配置されたハーフミラーによって光の一部が反射されてその光像がミラー部材の反射面に投影される。このため、反射面には一つの光像が複数に増数され、且つ位置をずらして奥行き方向へ連続した状態となって投影され、電飾装飾体の実際の厚みよりも奥行きがあるように錯覚を起こすことができる。この際、ミラー部材を動作させると反射面に投影された複数個の光像が立体的に変化した状態となる。
なお、ミラー部材を動作させるとは、揺動、回転、回動、前後動を含む広い概念である。
請求項２の発明に係る電飾装飾体では、前記ミラー部材は前記プリント基板に固定されており、該ミラー部材と該プリント基板は一体的に動作することを特徴とする。
請求項３の発明に係る電飾装飾体では、前記駆動機構は、モータと、該モータにより軸心を中心として回転駆動され先端部に偏心突起を有した棒状の作動部材と、軸心を中心としない揺動回転ができるように支持され且つ前記偏心突起を後端開口内に嵌合させることにより前記作動部材の回転時に揺動回転し、且つ前記ミラー部材に係止された回転軸部材と、を備えていることを特徴とする。
【０００６】
請求項４の発明に係る電飾装飾体は、ＬＥＤを搭載したプリント基板と、該プリント基板の前方に配置されて前面に反射面を有すると共に前記ＬＥＤからの発光を前方に透過させる透光部を有したミラー部材と、該ミラー部材の後方に配置されたギヤ機構と、前記ミラー部材の前方に離間配置され前記ＬＥＤからの発光の一部を前記反射面に投影させるハーフミラーと、駆動機構と、を備え、前記透光部は、前記ミラー部材の反射面から突出する透光部本体と、該透光部本体の後面から突出した軸部と、を備え、該軸部を該ミラー部材により回転自在に軸支されており、前記ギヤ機構は、前記透光部の軸部に固定されたギヤ部材から構成されており、前記ＬＥＤからの発光時に、前記駆動機構によって前記ギヤ機構を動作させて前記透光部を回転させることにより、前記ミラー部材の反射面に複数個投影された透光部の光像が動いて視認されるように構成したことを特徴とする。
ミラー部材の反射面側に回転自在に支持した透光部を回転させることにより、反射面に投影された光像、透光部の像を回転動作させて、演出の多様性を得ることができる。なお、回転には回動も含まれる。
請求項５の発明に係る電飾装飾体では、前記ギヤ機構は、複数の前記透光部に夫々設けられた前記ギヤ部材から構成されており、前記駆動機構が少なくとも一つの前記ギヤ部材を駆動することにより他のギヤ部材が連動して回転するように構成されていることを特徴とする。
請求項６の発明に係る電飾装飾体は、前記ミラー部材の反射面を非平坦面としたことを特徴とする。
請求項７の発明に係る遊技盤ユニットは、請求項１乃至６の何れか一項に記載の電飾装飾体と、遊技盤と、を備えたことを特徴とする。
請求項８の発明に係るパチンコ遊技機は、請求項７に記載の遊技盤ユニットを備えたことを特徴とする。
【発明の効果】
【０００７】
本発明によれば、ミラー部材に透光部を搭載し、透光部を介して前方へ出射された光の一部を前方に位置するハーフミラーにより反射させてミラー部材の反射面に複数に連なった像を投影するように構成し、更にミラー部材、或いは透光部を動作させるように構成した。このため、シンプル、且つ占有スペースをとらないコンパクトな構造でありながら、ハーフミラーと反射板と、これらに投影される光像や可動部品の投影像を有効に活用して、光像や可動部品の投影像を種々変化させて、視認される像数を増やしたり、実際の厚みよりも深い奥行きある錯覚をもたらすなどの演出効果を高めることができる。
【図面の簡単な説明】
【０００８】
【図１】本発明の電飾装飾体を搭載したパチンコ遊技機の正面図である。
【図２】（ａ）（ｂ）及び（ｃ）は本発明に係る電飾装飾体の構成を示す正面側斜視図、正面図、及び背面図である。
【図３】（ａ）は電飾装飾体の正面側分解斜視図、（ｂ）は要部分解斜視図である。
【図４】電飾装飾体の背面側分解斜視図である。
【図５】電飾装飾体の縦断面図である。
【図６】（ａ）及び（ｂ）は駆動機構の動作説明図である。
【図７】電飾装飾体を作動させた場合に視認される光像の状態を示す説明図である。
【図８】（ａ）（ｂ）及び（ｃ）は本発明の他の実施形態に係る電飾装飾体の前方斜視図、側面図、及び背面図である。
【図９】（ａ）及び（ｂ）はこの電飾装飾体の分解斜視図、及び回転ユニットの分解斜視図である。
【図１０】電飾装飾体の側部縦断面図である。
【図１１】（ａ）及び（ｂ）は回転ユニットの背面図及び駆動機構の正面図である。
【図１２】ギヤ機構におけるギヤの配置図である。
【図１３】ＬＥＤ発光中に透光部を回転させた際の光像の状態を示す正面図である。
【発明を実施するための形態】
【０００９】
以下、本発明を図面に示した実施の形態により詳細に説明する。
図１は本発明の電飾装飾体を搭載したパチンコ遊技機の正面図である。
パチンコ遊技機１は、矩形形状の枠２を有し、この枠２の窓孔に対して表側から遊技盤３が着脱可能に取り付けられている。
遊技盤３には、遊技領域の外周縁に沿って前方に突出されたガイドレールが設けられている。ガイドレールは発射装置から発射された遊技球を遊技領域の上部に案内したり、アウト球を回収するアウト口１８に案内したりする外レールＲ１及び内レールＲ２により構成される。
遊技盤３の前面側には、図示しないガラス枠が開閉可能に取り付けられている。またガラス枠の下部には遊技球を貯留する受け皿部４と、受け皿部４内の遊技球を発射する発射レバー５等が設けられている。また、受け皿部４の上部には、例えば遊技演出用のチャンスボタンや十字キーなどの操作部６や、遊技球の購入ボタンや購入取り消しボタンなどが設けられている。
遊技盤３の略中央には、図柄表示装置９が配置されている。図柄表示装置９は、例えば、液晶表示装置等の液晶表示パネルによって構成され、通常動作状態の時は図示しない特別図柄画像が表示される。また、所謂リーチ状態や特別遊技状態の時はそれぞれの遊技状態であることを示す演出画像等が表示される。
【００１０】
図柄表示装置９の下方には、図柄表示装置９の特別図柄を可変表示させるための可変入賞装置１１が設けられている。
また、図柄表示装置９の左側には、遊技盤３の右下部に配置された普通図柄表示装置１０に表示される普通図柄を作動させるためのゲート１２が設けられている。
さらに、可変入賞装置１１の下方には、特別遊技状態の一つである大当り状態のときに開成状態になる開閉扉を有する大入賞口１３が設けられている。
可変入賞装置１１は、図柄表示装置９を可変表示させるための上始動ポケット１４と、左右一対の開閉爪（可動片）を有する電動式チューリップ１７とを備えている。
また遊技盤３には、普通入賞口１６が設けられていると共に、風車１５や多数の遊技釘が突設されている。遊技釘は、遊技球の落下速度を遅くすると共に、落下方向を複雑に変化させて遊技進行上の興趣を高めている。
普通図柄表示装置１０に表示される普通図柄は、１個または複数個の図柄を変動表示可能であり、普通図柄始動口としてのゲート１２が遊技球を検出することを条件に、その図柄が乱数制御等により所定時間可変して停止するようになっている。
普通図柄としては、数字図柄、アルファベット図柄、キャラクター図柄、その他の適宜の遊技図柄が使用される。そして、ゲート１２を遊技球が通過したことを条件に乱数制御により普通図柄が所定態様となった場合に、可変入賞装置１１に設けられた電動式チューリップから成る可動片を所定時間、開成動作するように構成されている。
【００１１】
図柄表示装置９に表示される特別図柄は、停止図柄が予め定められた図柄の組合せ、例えば同一図柄の組合せとなった場合に大当り状態となるように構成されている。また特別図柄は、可変入賞装置１１の上始動ポケット１４、又は電動式チューリップの開成動作により遊技球が誘導される下始動口（図示していない）への遊技球の入賞を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当り状態が発生する。なお、特別図柄としては、数字図柄、アルファベット図柄、キャラクター図柄等が使用可能である。
図柄表示装置９の右方には、雪結晶を象った星形の電飾装飾体２０が配置されている。
【００１２】
図２（ａ）（ｂ）及び（ｃ）は本発明に係る電飾装飾体の構成を示す正面側斜視図、正面図、及び背面図であり、図３（ａ）はこの電飾装飾体の正面側分解斜視図、（ｂ）は要部分解斜視図であり、図４はこの電飾装飾体の背面側分解斜視図であり、図５はこの電飾装飾体の縦断面図であり、図６（ａ）及び（ｂ）は駆動機構の動作説明図であり、図７はこの電飾装飾体を作動させた場合に視認される光像の状態を示す説明図である。
【００１３】
電飾装飾体２０は、正面形状が星形の枠体であるケース２１と、ケース２１内に収容され前面にＬＥＤ３１を搭載したプリント基板３０と、プリント基板３０の前方に固定配置されて前面に反射面（例えば、鏡面）４１を有すると共にＬＥＤ３１からの発光を前方に透過させる透光部４２を有したミラー部材４０と、ケース２１の前部開口を閉止するように固定され且つミラー部材４０の前方に並行に離間配置されてＬＥＤからの発光の一部を反射して反射面４１に投影させるハーフミラー５０と、プリント基板３０とミラー部材４０から成る回転ユニットＵの後方に連設されて回転ユニットＵを支持し且つ回転、回動、揺動等、種々動作させる駆動機構６０と、を備えている。
ケース２１の前面開口に配置したハーフミラー５０の前面には必要に応じて凸レンズ板を配置して前方から視認される映像を拡大するようにしてもよい。
ミラー部材４０に設けた透光部４２は、ミラー部材に設けた透光穴４２Ａと、この透光穴を塞ぐように配置された透光部材４２Ｂとから成る。透光部材４２Ｂは、透明樹脂等の透明材料から成る星形の部材からなり、ＬＥＤ３１からの発光時にこの透光部材４２Ｂが星形に発光するように構成されている（図５）。この突起状の透光部材４２Ｂは少なくともとの一部を凸レンズとしてもよい。
【００１４】
ハーフミラー５０は、周知のように反射光と透過光の強さがほぼ1：1であり、ハーフミラーの片面側の照明を明るくする一方で他面側を暗くすると、遊技者が照明が明るい側からハーフミラー面を見た場合にはミラーとして見え、暗い面側から見た場合には明るい側を透過して見ることができる。
最前部にハーフミラー５０を配置した結果、ＬＥＤ３１が点灯して後方から前方へ向けて光が照射されている時にはハーフミラー５０を介してその奥部に位置するミラー部材４０及び透光部４２を視認できる一方で、ＬＥＤが消灯している時にはハーフミラー５０が鏡面として認識され奥部を視認できない。なお、ハーフミラー５０は厳密な意味で透過させる光量と反射させる光量が同等である必要はなく、ＬＥＤからの光の一部がハーフミラーにて反射して反射面に投影される構成であればよい。
プリント基板３０及びミラー部材４０から成る回転ユニットＵは、固定状態にあるハーフミラー５０に対して可動な状態で駆動機構６０によって支持されており、ＬＥＤ３１からの発光時に回転ユニットＵを回転、或いは正逆回動させることにより、ミラー部材の反射面に複数倍の個数投影されたＬＥＤの光像が動いて視認されるように構成されている（図７参照）。
本例では、プリント基板３０とミラー部材４０を一体化しているが、これは一例に過ぎない。
【００１５】
ミラー部材４０の反射面４１の地の部分（非透光部）は平坦面であってもよいし、少なくとも部分的に細かい凸部、凹部、突条、溝を有した非平坦面であったり、少なくとも部分的に湾曲した面であってもよい。これにより、反射面に投影される像を種々変形させることができる。
ミラー部材に設けた透光部４２は、凸レンズ、或いは単なる透明部として構成されており、透光部４２からＬＥＤ３１の光が前方へ出射されて、光量の半分はハーフミラー５０を透過し、残りの半分の光量はハーフミラーにて反射してミラー部材の反射面４１に投影されて光像を形成する。ミラー部材の反射面４１に投影された光像はハーフミラーの内側面で反射して再びミラー部材の反射面に投影されるため、ハーフミラーの前方から見た場合にミラーの反射面上に多数の光像（本例では雪結晶の象った可動部品）が位置を僅かにずらして重なって（連なって）投影された状態を視認できる。このため、遊技者はケーシングの実際の厚みよりも深い奥行きがあるように錯覚し、演出効果を高めることができる（図７）。
従来のハーフミラーを用いた電飾装置は、主としてハーフミラー、ミラーだけを用いて単純なトリックを行っていたが、本発明ではハーフミラー、ミラー、及びミラーの反射面に配置した実物としての透光部の組合せによってトリックを実現している点が特徴的である。
また、透光部材４２Ｂを凸レンズにより構成した場合にはＬＥＤからの光像を拡大して表示することができ、演出効果を高めることができる。
【００１６】
駆動機構６０は、中心部に支持穴６１ａを有した円板状の支持板６１と、支持板６１により前面開口を閉止された有底円筒状の外ケース６２と、支持板６１の底面と外ケース６２の底板内底面との間に差し渡し固定されることにより両者間を螺子固定する固定部材６３と、支持板６１の支持穴６１ａによって回転自在且つ抜け落ち不能に支持された回転軸部材（軸部材）６４と、外ケース６２の底板に設けた小孔６２ａによって回転自在に支持されると共に先端の偏心突起６５ａを回転軸部材６４の後端開口内に嵌合させて偏心回転することにより回転軸部材６４を偏心回転させる作動部材６５と、外ケース６２の底板の外側面に突設した作動部材６５の棒状の他端部に固定された従動ギヤ６６と、外ケースの底板から離間した状態で固定されたモータ支持板６８に固定され出力ギヤ６７ａを従動ギヤ６６と噛合させるモータ６７と、を備えている。
支持板の支持穴６１ａの前後に相当する回転軸部材（軸部材）６４の部分に夫々大径の抜け落ち防止部材６４ａを一体化すると共に、抜け落ち防止部材６４ａ間の間隔を支持板６１の厚みよりも十分に大きく設定し、更に回転軸部材６４の径よりも支持穴６１ａの径を十分に大きく設定することにより、支持穴からの抜け落ちが防止されると共に、回転軸部材６４がその軸心を中心としない揺動回転ができるように構成されている。
【００１７】
作動部材６５の棒状部はその軸心を中心として回転する一方で、その円形の先端面の偏心した位置に偏心突起６５ａを突設させている。このため、作動部材６５の回転時には、偏心突起６５ａは偏心回転する。
偏心突起６５ａは、回転軸部材（軸部材）６４の円形の後端開口６４ｃ内に遊嵌しており、作動部材６５が回転する際には、偏心突起６５ａが回転軸部材の後端開口の内壁に部分的に当接して後端開口を外径方向へ押しながら偏心回転する。このため、回転軸部材６４はその軸心を中心とした回転をすることができず、支持板の支持穴６１ａ内壁に沿って揺動する。
回転軸部材６４の先端部には小突起６４ｂが設けられており、この小突起６４ｂは回転ユニットＵに対して係止されることにより、回転軸部材の６４の回転時に回転ユニットＵが一体回転するように構成されている。この例では、回転ユニットＵの後方側に配置されたプリント基板３０の中心孔３０ａに回転軸部材６４の棒状大径部を挿通すると共に、小突起６４ｂをミラー部材４０の中心孔４０ａに圧入固定させている。
【００１８】
以上の構成において、モータ６７を一方向に回転駆動させると、出力ギヤ６７ａから駆動力が従動ギヤ６６に伝達されて回転軸部材６４を回転させる。すると、回転軸部材６４の先端部に固定された偏心突起６５ａが回転軸部材６４の後端開口の内壁を外径方向へ押圧しながら偏心回転するため、回転軸部材６４が支持穴６１ａを中心として揺動する。このため、作動部材６５の先端部に固定された回転ユニットＵがその中心部を中心として揺動しながら回転する。
ＬＥＤ３１を点灯させた状態で回転ユニットＵが揺動回転すると、固定側のハーフミラー５０に対する反射面４１の角度が変化するため、ハーフミラーの前方から見た場合の反射面上の光像が種々の角度に変化する演出を実現することができる。
即ち、ＬＥＤ３１から出射された光をミラー部材に設けた透光部４２を介して前方へ出射した時に、前方に配置されたハーフミラー５０によって光の一部が反射されてその光像がミラー部材の反射面に投影される。このため、反射面には一つの光像が複数に増数され、且つ位置をずらして奥行き方向へ連続した状態となって投影され、電飾装飾体の実際の厚みよりも奥行きがあるように錯覚を起こすことができる。この際、ミラー部材を前後方向に揺動させると反射面に投影された複数個の光像が立体的に変化している状態となる。図７中の実線で示した個々の透光部４２の像に対して、破線で示したのが増数して見える反射像である。
なお、駆動機構６０による回転ユニットＵ（ミラー部材）の駆動方向は一方向である必要はなく、正逆転方向へ交互に回転、回動させてもよい。また、回転、回動を伴わない前後方向への進退動作であってもよい。従って、軸部材６４は、前後動作する構成であってもよい。
【００１９】
また、駆動機構によって駆動される対象は透光部を搭載したミラー部材であればよく、プリント基板は必ずしも揺動する必要はない。
なお、ミラー部材を動作させるとは、揺動、回転、回動、前後動を含む広い概念である。
この電飾装飾体によれば、少ない部品、少ない占有スペースで、透光部を介して出射されてくるＬＥＤの光の一部をハーフミラーを介してミラー部材の反射面に投影することにより得られる光像の数を倍増させて見せることができる。しかも、装飾体に実際の厚みよりも深い奥行きがあるように錯覚させることができる。また、反射面を揺動させることにより、投影された光像を動きのある変化に富んだ映像として表現することが可能となる。このため、狭いスペースを利用して多様な演出を実現することが可能となる。
【００２０】
次に、図８（ａ）（ｂ）及び（ｃ）は本発明の他の実施形態に係る電飾装飾体の前方斜視図、側面図、及び背面図であり、図９（ａ）及び（ｂ）はこの電飾装飾体の分解斜視図、及び回転ユニットの分解斜視図であり、図１０はこの電飾装飾体の側部縦断面図であり、図１１（ａ）及び（ｂ）は回転ユニットの背面図及び駆動機構の正面図であり、図１２はギヤ機構におけるギヤの配置図であり、図１３はＬＥＤ発光中に透光部を回転させた際の光像の状態を示す正面図である。
【００２１】
電飾装飾体１００は、正面形状が星形のケース１０１と、ケース１０１内に収容され前面にＬＥＤ１１１を搭載したプリント基板１１０と、プリント基板１１０の前方に固定配置されたギヤ支持板１２１と、ギヤ支持板１２１により回転自在に軸支された複数のギヤから成るギヤ機構１３０と、ギヤ支持板１２１の前方に配置されて前面に反射面（例えば、鏡面）１２６を有すると共にＬＥＤ１１１からの発光を前方に透過させる透光部１２７を有したミラー部材１２５と、ケース１０１の前部開口を閉止するように固定されてミラー部材１２５の前方に並行に離間配置されたハーフミラー１４０と、プリント基板１１０、ギヤ支持板１２１、ミラー部材１２５、及びギヤ機構１３０から成る回転ユニットＵの後方に連設されてギヤ機構１３０を介して透光部１２７を回転（回動）させる駆動機構１５０と、を備えている。
ケース１０１の前面開口に配置したハーフミラー１４０の前面には必要に応じて凸レンズ板を配置することにより、前方から視認される映像を拡大して演出効果を高めるようにしてもよい。
【００２２】
ミラー部材１２５に設けた透光部１２７は、透明樹脂等の透明材料から成る星形の本体１２７ａと、本体１２７ａの背面から突出した透光性の軸部１２７ｂと、を備え、ミラー部材１２５に設けた穴１２５ａによって軸部１２７ｂが回転自在に軸支され、各透光部と対応する位置に配置されたＬＥＤ１１１からの発光時に軸部１２７ｂを経由してきた光により透光部１２７ａが星形に発光するように構成されている。この透光部本体１２７ａは凸レンズとしてもよい。
最前部にハーフミラー１４０を配置した結果、ＬＥＤ１１１が点灯して後方から前方へ向けて光が照射されている時にはハーフミラー１４０を介してその奥部に位置するミラー部材１２５及び透光部１２７を視認できる一方で、ＬＥＤが消灯している時にはハーフミラー１４０が鏡面として認識され奥部を視認できない。
回転ユニットＵを構成するプリント基板１１０、ギヤ支持板１２１、及びミラー部材１２５は、ケース１０１及びハーフミラー１４０に対して固定されている。透光部１２７及びギヤ機構１３０は駆動機構１５０によって回転駆動され、ＬＥＤ１１１からの発光時に透光部１２７を回転、或いは正逆回動させることにより、ミラー部材の反射面に複数倍の個数となって投影された各透光部の光像が動いて視認されるように構成されている（図１３参照）。
【００２３】
ミラー部材１２５の反射面１２６の地の部分（非透光部）は平坦面であってもよいし、少なくとも部分的に細かい凸部、凹部、突条、溝を有した非平坦面であったり、少なくとも部分的に湾曲した面であってもよい。これにより、反射面に投影される像を種々変形させることができる。
ミラー部材１２５に設けた透光部１２７の本体１２７ａは、凸レンズ、或いは単なる透明部として構成されており、ＬＥＤ１１１からの光が前方へ出射されて、光量の半分はハーフミラー１４０を透過し、残りの半分の光量はハーフミラーにて反射してミラー部材の反射面１２６に投影されて光像を形成する。ミラー部材の反射面１２６に投影された光像はハーフミラーの内側面で反射して再びミラー部材の反射面に投影されるため、ハーフミラーの前方から見た場合にミラーの反射面上に多数の光像、及び可動部品としての投影部の投影像が位置を僅かにずらして重なって（連なって）投影された状態を視認できる。このため、遊技者はケーシングの実際の厚みよりも深い奥行きがあるように錯覚し、演出効果を高めることができる（図１３参照）。
従来のハーフミラーを用いた電飾装置は、ハーフミラーだけを用いてトリックを行っていたが、本発明ではハーフミラー、ミラー、及びミラーの反射面に配置した実物としての可動部品（透光部）の組合せによってトリックを実現している点が特徴的である。
また、透光部を凸レンズにより構成した場合にはＬＥＤからの光像を拡大して表示することができ、演出効果を高めることができる。
【００２４】
ギヤ機構１３０は、ミラー部材の穴１２５ａに挿通された各透光部の軸部１２７ｂの端部を回転自在に軸支するために支持板１２１に設けられた軸受部１２２と、軸部１２７ｂに設けたＤカット部に回転不能に挿通されるＤカット穴を有して軸部１２７ｂに挿通固定されるギヤ部材１３１と、を備えており、図１２に示すようにプリント基板の中心穴１１０ａ、及びギヤ支持板１２１の中心穴１２１ａから挿通される駆動ギヤ部材１３５が各ギヤ部材１３１に対して駆動機構１５０からの駆動力を伝達して透光部１２７を回転させる。この例では、中心部に近い位置に配置された２つのギヤ部材１３１ａ、１３１ｂが駆動ギヤ部材１３５と噛合しており、駆動ギヤ部材１３５からの駆動力は２つのギヤ部材１３１ａ、１３１ｂを介して二系統に分岐して他のギヤ部材に伝達されて各透光部１２７を回転駆動する。
ギヤ部材１３１は、ＬＥＤからの光を遮蔽しないように透光性材料から構成するのが好ましい。
【００２５】
駆動機構１５０は、図９等に示すようにミラー部材１２５の５個の頂部から後方へ突設された棒状の固定部材１２８の後端に固定されてケース１０１の後部開口を閉止するベース板１５２と、ベース板１５２から後方へ突設された棒状の固定部材１５３の後端に固定されたモータ支持板１５４と、モータ支持板１５４に固定されたモータ１５５と、ベース板１５２の中心部に形成された穴により回転自在に軸支され且つ先端部に駆動ギヤ部材１３５を備えた回転軸部材１５７と、回転軸部材１５７に固定されてモータ１５５の出力軸に固定された出力ギヤ１５６と噛合する従動ギヤ１５８と、を備えている。
モータ１５５を駆動すると、出力ギヤ１５６、従動ギヤ１５８を介して回転軸部材１５７が回転駆動される。回転軸部材１５７の先端に設けた駆動ギヤ部材１３５は、ギヤ機構１３０を構成するギヤ部材１３１ａ、１３１ｂと常時噛合しており、駆動ギヤ部材１３５の回転駆動力は全てのギヤ部材に伝達されて各透光部１２７を回転させる。
【００２６】
ＬＥＤ１１１を点灯させた状態で各透光部１２７を回転させると、ハーフミラーの前方から見た場合の反射面上の光像が回転する演出を実現することができる。
なお、駆動機構１５０による透光部１２７の駆動方向は一方向である必要はなく、正逆転方向へ交互に回転、回動させてもよい。
この電飾装飾体によれば、少ない部品、少ない占有スペースで、透過部を介して出射されてくるＬＥＤの光をハーフミラーを介してミラー部材の反射面に投影することにより得られる光像の数を倍増させて見せることができる。しかも、装飾体の実際の厚みよりも深い奥行きがあるように錯覚させることができる。また、ミラー部材の反射面に配置された透光部を回転、回動させることにより、ハーフミラーを介して反射面に投影された光像を動きのある変化に富んだ映像として表現することが可能となる。このため、狭いスペースを利用して多様な演出を実現することが可能となる。
なお、図２等に示した実施形態と、図８等に示した実施形態を組み合わせることによって、ミラー部材を揺動させつつ、搭載された透光部を回転、回動させるように構成してもよい。
また、本発明の電飾装飾体は、遊技盤３に装備されることによって遊技盤ユニットを構成する。遊技盤ユニットは、パチンコ遊技機、スロットマシン等の遊技機に適用することができる。
【符号の説明】
【００２７】
１…パチンコ遊技機、２…枠、３…遊技盤、４…皿部、５…発射レバー、６…操作部、１３…大入賞口、１４…上始動ポケット、１５…風車、１０…普通図柄表示装置、１１…可変入賞装置、１２…ゲート、１６…普通入賞口、１７…電動式チューリップ、１８…アウト口、２０…電飾装飾体、２１…ケース、３０…プリント基板、３０ａ…中心孔、３１…ＬＥＤ、４０…ミラー部材、４０ａ…中心孔、４１…反射面、４２…透光部、５０…ハーフミラー、６０…駆動機構、６１…支持板、６１ａ…支持穴、６２…外ケース、６２ａ…小孔、６３…固定部材、６４…回転軸部材（軸部材）、６４ａ…防止部材、６４ｂ…小突起、６５…作動部材、６５ａ…偏心突起、６６…従動ギヤ、６７…モータ、６７ａ…出力ギヤ、６８…モータ支持板、１００…電飾装飾体、１０１…ケース、１１０…プリント基板、１１０ａ…中心穴、１１１…ＬＥＤ、１２１…ギヤ支持板、１２１ａ…中心穴、１２２…軸受部、１２５…ミラー部材、１２５ａ…穴、１２６…反射面、１２７…透光部、１２７ａ…透光部本体、１２７ｂ…軸部、１２８…固定部材、１３０…ギヤ機構、１３１…ギヤ部材、１３１ａ…ギヤ部材、１３５…駆動ギヤ部材、１４０…ハーフミラー、１５０…駆動機構、１５２…ベース板、１５３…固定部材、１５４…モータ支持板、１５５…モータ、１５６…出力ギヤ、１５７…回転軸部材、１５８…従動ギヤ
【図１】
2011110372.tif 000003
【図２】
2011110372.tif 000004
【図３】
2011110372.tif 000005
【図４】
2011110372.tif 000006
【図５】
2011110372.tif 000007
【図６】
2011110372.tif 000008
【図７】
2011110372.tif 000009
【図８】
2011110372.tif 000010
【図９】
2011110372.tif 000011
【図１０】
2011110372.tif 000012
【図１１】
2011110372.tif 000013
【図１２】
2011110372.tif 000014
【図１３】
2011110372.tif 000015